(57)【要約】【課題】パチンコ玉箱を単なるパチンコ玉等の収容、運搬容器として利用するだけでなく、それ以外の用途にも利用できるようにする。【解決手段】四角形状の底壁２と、底壁の互いに対向する各一対の側縁にそれぞれ立設された各一対の側壁３ａ、３ｂ；４ａ、４ｂとを有し、パチンコ玉を投入するための上端開口５を有する。少なくとも１つの側壁３ａ、３ｂに、その上端面に開口し、この開口７ａ、８ａから側壁の高さ方向に延びる差込穴７、８が形成される。差込穴の開口は側壁の幅方向にスロット状にのび、差込穴には、情報表示手段およびセキュリティ手段および装飾手段およびパチンコ玉箱の上端開口を閉じる蓋手段のうちの少なくとも１つが差し込まれ得る。【選択図】図１
2004121453.tif 000002
【特許請求の範囲】
【請求項１】
底壁と、前記底壁の互いに対向する各一対の側縁にそれぞれ立設された各一対の側壁とからなり、パチンコ玉を投入するための上端開口を有するパチンコ玉箱において、前記側壁のうちの少なくとも１つに、その上端面に開口し、この開口から該側壁の高さ方向にのびる差込穴が形成され、前記差込穴の開口は前記側壁の幅方向にスロット状にのび、前記差込穴には、情報表示手段およびセキュリティ手段および装飾手段およびパチンコ玉箱の上端開口を閉じる蓋手段のうちの少なくとも１つが差込可能になっていることを特徴とするパチンコ玉箱。
【請求項２】
前記底壁には、一方の側面に開口し、この開口から前記一方の側面に対向する側面側に向かってのびる差込穴が形成され、前記差込穴の開口は前記一方の側面の幅方向にスロット状にのび、前記差込穴には、前記情報表示手段および前記セキュリティ手段および前記装飾手段のうちの少なくとも１つが差込可能になっていることを特徴とする請求項１に記載のパチンコ玉箱。
【請求項３】
少なくとも前記差込穴が形成された壁は、透明に形成されていることを特徴とする請求項１または請求項２に記載のパチンコ玉箱。
【請求項４】
前記情報表示手段、前記セキュリティ手段、前記装飾手段および前記蓋手段は、前記差込穴内に収容可能なカートリッジの形態を有していることを特徴とする請求項１〜請求項３のいずれかに記載のパチンコ玉箱。
【発明の詳細な説明】
【０００１】
【発明の属する技術分野】
本発明は、パチンコ店において、遊技者が、パチンコ玉やメダル等を収容し、運搬するためのパチンコ玉箱の改良に関するものである。
【０００２】
【従来の技術】
従来、パチンコ店においては、パチンコ玉やメダル等を収容し、運搬するためにパチンコ玉箱が使用されている。
そして、従来のパチンコ玉箱は、パチンコ玉等を収容し、搬送するための単なる容器として形成され、使用されているにすぎない。
【０００３】
しかしながら、パチンコ玉箱は、それが使用されない時は、パチンコ店内の遊技者の目につくところに積み重ねられ、また、使用時においてもパチンコ台に着席した遊技者の近傍に置かれ、やはり、遊技者の目にとまる場所に置かれる。
したがって、パチンコ玉箱を、単に、パチンコ玉等の収容容器として使用するだけでは、十分に利用がなされているとは言い難い。
【０００４】
【発明が解決しようとする課題】
したがって、本発明は、パチンコ玉箱を単なるパチンコ玉等の収容、運搬容器として利用するだけでなく、それ以外の用途にも利用できるようにすることにある。
【０００５】
【課題を解決するための手段】
上記課題を解決するため、本発明は、底壁と、前記底壁の互いに対向する各一対の側縁にそれぞれ立設された各一対の側壁とからなり、パチンコ玉を投入するための上端開口を有するパチンコ玉箱において、前記側壁のうちの少なくとも１つに、その上端面に開口し、この開口から該側壁の高さ方向にのびる差込穴が形成され、前記差込穴の開口は前記側壁の幅方向にスロット状にのび、前記差込穴には、情報表示手段およびセキュリティ手段および装飾手段およびパチンコ玉箱の上端開口を閉じる蓋手段のうちの少なくとも１つが差込可能になっていることを特徴とするパチンコ玉箱を構成したものである。
【０００６】
この構成において、好ましくは、前記底壁には、一方の側面に開口し、この開口から前記一方の側面に対向する側面側に向かってのびる差込穴が形成され、前記差込穴の開口は前記一方の側面の幅方向にスロット状にのび、前記差込穴には、前記情報表示手段および前記セキュリティ手段および前記装飾手段のうちの少なくとも１つが差込可能になっている。
また好ましくは、少なくとも前記差込穴が形成された壁は、透明に形成されており、また、前記情報表示手段および前記セキュリティ手段および前記装飾手段および前記蓋手段は、前記差込穴内に収容可能なカートリッジの形態を有している。
【０００７】
【発明の実施の形態】
以下、添付図面を参照して本発明の好ましい実施例について説明する。図１および図２は、それぞれ、本発明の１実施例によるパチンコ玉箱の斜視図および平面図である。図１および図２を参照して、本発明によるパチンコ玉箱１は、透明プラスチック材料から形成されており、四角形状の底壁２と、底壁２の互いに対向する各一対の側縁に立設された各一対の側壁３ａ、３ｂ；４ａ、４ｂとからなり、パチンコ玉を投入するための上端開口５を有している。また、パチンコ玉箱１の短辺側の一対の対向する側壁３ａ、３ｂには、それぞれ、外側面に取っ手６ａ、６ｂが設けられている。
【０００８】
また、パチンコ玉箱１の側壁のうちの少なくとも１つ、この実施例では、パチンコ玉箱１の長辺側の対向する一対の側壁４ａ、４ｂには、それぞれ、その上端面に開口し、この開口７ａ、８ａから該側壁４ａ、４ｂの高さ方向にのびる差込穴７、８が形成され、差込穴７、８の開口７ａ、８ａは関係する側壁４ａ、４ｂの幅方向にスロット状にのびている。
【０００９】
そして、差込穴７、８には、それぞれ、情報表示手段およびセキュリティ手段および装飾手段およびパチンコ玉箱の上端開口を閉じる蓋手段のうちの少なくとも１つが差込可能になっている。
【００１０】
図５には、情報表示手段およびセキュリティ手段および装飾手段および蓋手段の１実施例の斜視図であり、（Ａ）は情報表示手段、（Ｂ）はセキュリティ手段、（Ｃ）は装飾手段、（Ｄ）は蓋手段を示している。図５に示されるように、情報表示手段９、セキュリティ手段１０、装飾手段１１および蓋手段１２は、いずれも、差込穴７、８内に収容可能な統一されたカートリッジの形態を有しており、これらの手段９〜１２を、必要に応じて、パチンコ玉箱１において容易に交換できるようになっている。
【００１１】
図５（Ａ）を参照して、情報表示手段９は、基部１３と、常時は基部１３に収納され、（図示されない）ボタンが押されたとき、基部１３から上方に起立する情報表示プレート１４とから構成されている。情報プレート１４の表面には、広告のための情報や、遊技者の気分を高揚させるための情報等が表示されるようになっている。
図５（Ｂ）を参照して、セキュリティ手段１０は、予め定められた周波数の電波をキャッチすると警報を発することにより、パチンコ台やパチスロ台の制御部に対する不正操作を防止するようになっている。
【００１２】
図５（Ｃ）を参照して、装飾手段１１は、表面に多数個のＬＥＤ１５を備えており、これらのＬＥＤ１５の点滅によるイルミネーションによって、パチンコ玉箱が装飾されるようになっている。
図５（Ｄ）を参照して、蓋手段１２は、ケーシングと、ケーシング内に折り畳み状態で収納される収納位置と、ケーシングの上端開口からケーシングが差し込まれた側壁に対向する側壁側に向かって引き出されてパチンコ玉箱の上端開口を被覆する引出し位置の２つの位置をとり得る蓋部材１６と、蓋部材１６を常時は収納位置に配置させる蓋部材収納手段と、蓋部材１６を引出し位置に保持する蓋部材保持手段とからなっている。そして、パチンコ玉箱１内にパチンコ玉が収容された状態で、蓋部材１６が引き出し位置に保持されることによって、パチンコ玉箱１の上端開口５が封閉され、その結果、パチンコ玉箱１からパチンコ玉がこぼれ出ることが防止される。
【００１３】
こうして、本発明によるパチンコ玉箱によれば、パチンコ玉箱の側壁に設けられた差込穴に、情報表示手段のカートリッジ、セキュリティ手段のカートリッジ、装飾手段のカートリッジまたは蓋手段のカートリッジを差し込むことによって、パチンコ玉箱を、単なるパチンコ玉等の収容容器として利用するだけでなく、遊技者に対する情報表示や広告のための手段、遊技者の不正行為を防止するセキュリティ手段、遊技者の気分を高揚させる装飾手段、またはパチンコ玉等のパチンコ玉箱からのこぼれ落ちを防止する手段として有効利用することができる。
【００１４】
図２は、本発明の別の実施例によるパチンコ玉箱の斜視図である。図２の実施例は、パチンコ玉箱１の短辺側の一対の対向する側壁３ａ、３ｂに差込穴７’、８’が設けられている点が、図１の実施例と相違しているのみである。したがって、図２において、図１と同一の構成要素については同一の番号を付して、詳細な説明を省略する。この実施例も、上述の実施例と同様の効果を奏することは言うまでもない。
【００１５】
図３は、本発明のさらに別の実施例によるパチンコ玉箱の斜視図である。図３の実施例は、パチンコ玉箱の底壁に差込穴が設けられている点が、図１の実施例と相違しているのみである。したがって、図３において、図１と同一の構成要素については同一の番号を付して、詳細な説明を省略する。
【００１６】
底壁２には、一方の側面１７に開口し、この開口１８ａからこの側面１７に対向する側面側に向かってのびる差込穴１８が形成されている。差込穴１８の開口１８ａは側面１７の幅方向にスロット状にのびており、差込穴１８には、図５に示されたものと同様の、情報表示手段、セキュリティ手段、装飾手段が差込可能になっている。
この実施例の場合にも、図１の実施例と同様の効果が得られる。
【００１７】
【発明の効果】
以上のように、本発明によれば、パチンコ玉箱の側壁の少なくとも１つ、または底壁に差込穴を設けるとともに、この差込穴に情報表示手段、セキュリティ手段、装飾手段および蓋手段のうちの少なくとも１つを差込可能としたことにより、パチンコ玉箱を、単なるパチンコ玉等の収容容器として利用するだけでなく、遊技者に対する情報表示や広告のための手段、遊技者の不正行為を防止するセキュリティ手段、遊技者の気分を高揚させる装飾手段、またはパチンコ玉等のパチンコ玉箱からのこぼれ落ちを防止する手段として有効利用することができる。
【図面の簡単な説明】
【図１】本発明の１実施例によるパチンコ玉箱の斜視図である。
【図２】図１のパチンコ玉箱の平面図である。
【図３】本発明の別の実施例によるパチンコ玉箱の斜視図である。
【図４】本発明のさらに別の実施例によるパチンコ玉箱の斜視図である。
【図５】本発明の１実施例による情報表示手段、セキュリティ手段、装飾手段および蓋手段の斜視図であり、（Ａ）は情報表示手段を、（Ｂ）はセキュリティ手段を、（Ｃ）は装飾手段を、（Ｄ）は蓋手段をそれぞれ示したものである。
【符号の説明】
１　パチンコ玉箱
２　底壁
３ａ、３ｂ　側壁
４ａ、４ｂ　側壁
５　上端開口
６ａ、６ｂ　取っ手
７、８　差込穴
９　情報表示手段
１０　セキュリティ手段
１１　装飾手段
１２　蓋手段
【図１】
2004121453.tif 000003
【図２】
2004121453.tif 000004
【図３】
2004121453.tif 000005
【図４】
2004121453.tif 000006
【図５】
2004121453.tif 000007